(57)【要約】【課題】水平外力に対する揺れを効果的に低減できる揺れ低減効果の高い塔状構造物を提供する。【解決手段】本発明による塔状構造物は、基礎５から上方に延長した筒構造体（コア壁２）と、基礎５から上方に延長して筒構造体の周囲を囲む塔構造体（鉄塔３）と、筒構造体と塔構造体とを繋ぐダンパー４とを備えた塔状構造物において、ダンパー４が水平面１１に対して上下方向に傾斜するように設置された。ダンパー４は、相対的に直線運動を行う作動体と筒状筐体とによって棒状に形成された棒状本体１４を備え、棒状本体１４の一端と筒構造体との一端側取付部１７と棒状本体１４の他端と塔構造体との他端側取付部１９とが上下にずれた位置に設けられたことによって、作動体と筒状筐体とが相対的に直線運動を行う方向が水平面１１に対して上下方向に傾斜する向きとなるように取付けられた。【選択図】図１
2009209635.tif 000002
【特許請求の範囲】
【請求項１】
基礎から上方に延長した筒構造体と、基礎から上方に延長して筒構造体の周囲を囲む塔構造体と、筒構造体と塔構造体とを繋ぐダンパーとを備えた塔状構造物において、ダンパーが水平面に対して上下方向に傾斜するように設置されたことを特徴とする塔状構造物。
【請求項２】
ダンパーは、相対的に直線運動を行う作動体と筒状筐体とによって棒状に形成された棒状本体を備え、棒状本体の一端と筒構造体との一端側取付部と棒状本体の他端と塔構造体との他端側取付部とが上下にずれた位置に設けられたことによって、作動体と筒状筐体とが相対的に直線運動を行う方向が水平面に対して上下方向に傾斜する向きとなるように取付けられたことを特徴とする請求項１に記載の塔状構造物。
【発明の詳細な説明】
【技術分野】
【０００１】
本発明は、ダンパーによる揺れ低減効果の高い塔状構造物に関する。
【背景技術】
【０００２】
筒身のような筒構造体と、筒構造体の周囲を囲む鉄塔のような塔構造体と、筒構造体と塔構造体とを繋ぐダンパーとを備えた塔状構造物が知られている。このダンパーは、水平方向に設置されている。即ち、ダンパーの作動体と筒状筐体とが相対的に直線運動を行う方向が水平方向となるようにダンパーが設置されている。
【特許文献１】特開２００７−８５０２３号公報
【発明の開示】
【発明が解決しようとする課題】
【０００３】
建物高の巾に対する比（アスペクト比）が大きな建物では、水平外力を受けた時の変形は曲げ変形が支配的となることが知られている。水平外力を受けた場合に曲げ変形が支配的となる塔状構造物において、従来技術のように、水平に設置されたダンパーによって筒構造体と塔構造体とが繋がれた構成の場合、水平外力を受けた場合に塔状構造物が曲がる方向とダンパーの作動体と筒状筐体とが相対的に直線運動を行う方向とが異なってくるので、ダンパーの効きが悪く、水平外力に対する揺れを効果的に低減できないという課題があった。
【課題を解決するための手段】
【０００４】
本発明による塔状構造物は、基礎から上方に延長した筒構造体と、基礎から上方に延長して筒構造体の周囲を囲む塔構造体と、筒構造体と塔構造体とを繋ぐダンパーとを備えた塔状構造物において、ダンパーが水平面に対して上下方向に傾斜するように設置されたことを特徴とする。
ダンパーは、相対的に直線運動を行う作動体と筒状筐体とによって棒状に形成された棒状本体を備え、棒状本体の一端と筒構造体との一端側取付部と棒状本体の他端と塔構造体との他端側取付部とが上下にずれた位置に設けられたことによって、作動体と筒状筐体とが相対的に直線運動を行う方向が水平面に対して上下方向に傾斜する向きとなるように取付けられたことも特徴とする。
【発明の効果】
【０００５】
本発明によれば、水平外力に対する揺れを効果的に低減できる揺れ低減効果の高い塔状構造物を提供できる。
【発明を実施するための最良の形態】
【０００６】
図１乃至図３は最良の形態を示し、図１は塔状構造物の概略構成を示し、図２はコア壁と鉄塔とを繋ぐダンパーを示し、図３は塔状構造物の具体的構造例を示す。
図１に示すように、塔状構造物１は、筒構造体としてのコア壁２と、塔構造体としての鉄塔３と、コア壁２と鉄塔３とを繋ぐダンパー４とを備える。
コア壁２は、例えば断面正方形の筒状に形成された鉄筋コンクリート製の筒構造体であり（図３参照）、筒が基礎５から上方に延長するように構築された構成である。
鉄塔３は、コア壁２の筒の周囲を囲むように形成された塔構造体であり、基礎５から上方に延長するように構築された構成である。
【０００７】
鉄塔３は、例えば、図３に示すように、コア壁２の筒の周囲を囲むような正八角形の頂角部分にそれぞれ配置された例えば鉄パイプ製の複数の柱材６で形成された柱体７と、隣り合う柱材６と柱材６とを繋いでコア壁２の周囲を囲むような正八角形の辺部分を形成するように配置された例えば鉄パイプ製の複数の梁材８で形成されて柱体７の上下方向において所定間隔毎に形成された複数の梁体９と、左右に隣り合う柱材６と上下に隣り合う梁材８とで囲まれた四角枠の角と辺とを繋ぐように設けられた例えば鉄パイプ製のブレース材１０とにより構築される。
【０００８】
ダンパー４は、水平面１１に対して上下方向に傾斜するように設置される。即ち、ダンパー４は、図２に示すように、相対的に直線運動を行う作動体１２と筒状筐体１３とによって棒状に形成された棒状本体１４を備える。この棒状本体１４は、筒状筐体１３と筒状筐体１３の筒の中心軸線上において筒状筐体１３の内外に跨って設けられた作動体１２とを有し、筒状筐体１３の筒の中心軸線に沿って作動体１２と筒状筐体１３とが相対的に直線運動可能に形成された構成である。
【０００９】
ダンパー４は、棒状本体１４の一端１６と筒構造体２との一端側取付部１７と棒状本体１４の他端１８と塔構造体３との他端側取付部１９とが上下にずれた位置に設けられたことによって、作動体１２と筒状筐体１３とが相対的に直線運動を行う方向（以下、相対的直線運動方向という）が水平面１１に対して上下方向に傾斜する向きとなるように取付けられた構成とした。
【００１０】
ダンパー４が、例えば、図２に示すように、筒状筐体１３としてのシリンダー２１と、シリンダー２１内外に跨るように一端がシリンダー２１内に位置され他端がシリンダー２１の一端から突出するピストンロッド２２と、シリンダー２１内に位置されたピストンロッド２２に設けられたピストン２３と、ピストン２３で区画された油圧室２４と、油圧室２４に対する図外の油圧給排機構とを備えたオイルダンパーの場合、作動体１２がピストンロッド２２とピストン２３とにより形成され、棒状本体１４がシリンダー２１とピストンロッド２２とピストン２３とにより形成される。
【００１１】
最良の形態によれば、コア壁２と鉄塔３とを繋ぐダンパー４を備え、ダンパー４が水平面１１に対して上下方向に傾斜するように設置された構成、即ち、相対直線運動方向が水平面１１に対して上下方向に傾斜する向きとなるようにダンパー４が取付けられたので、例えば、アスペクト比が５以上のような構造物であって水平外力を受けた場合に曲げ変形が支配的となる塔状構造物１において、塔状構造物１が風や地震などの水平外力を受けた場合に、コア壁２の曲がる方向とダンパー４の相対的直線運動方向とが同じ方向となるため、ダンパー４の効きが良くなる。よって、水平外力に対する揺れを効果的に低減できる揺れ低減効果の高い塔状構造物１となる。また、水平外力に対するダンパー４の効きが良くなることから、ダンパー４の設置数を少なくできたり、最大減衰力の小さいダンパー４を使用できるようになる。
【産業上の利用可能性】
【００１２】
ダンパー４としては、粘性体ダンパー、摩擦ダンパー、鋼材ダンパーなどのダンパーを用いてもよい。
【図面の簡単な説明】
【００１３】
【図１】塔状構造物の概略構成図（最良の形態）。
【図２】コア壁と鉄塔とを繋ぐダンパーを示す図（最良の形態）。
【図３】塔状構造物の具体的構造例を示す斜視図（最良の形態）。
【符号の説明】
【００１４】
１  塔状構造物、２  コア壁（筒構造体）、３  鉄塔（塔構造体）、４  ダンパー、
５  基礎、１１  水平面、１２  作動体、１３  筒状筐体、１４  棒状本体、
１７  一端側取付部、１９  他端側取付部。
【図１】
2009209635.tif 000003
【図２】
2009209635.tif 000004
【図３】
2009209635.tif 000005